(57)【要約】【課題】遊技機で生じたタバコの煙を確実に吸引して外部に排出し、他の遊技機側への拡散を防止することが可能な空気清浄装置を提供する。【解決手段】一端がエアーの供給口１４ａとされ、他端がエアー吹き出し口１４ｂとされた送風ノズル１４を有し、エアーの供給口１４ａが遊技機１１間の境界領域１３の上端部に設けられたエアーの送風口１５に接続される。また、エアー吹き出し口１４ｂは、遊技機１１の上方のほぼ中央部に設けられ、エアーを上方に向けて吹き出す。更に、遊技機１１の上方にはフード２１が設けられ、該フード２１近傍のエアーが排気ファン２３により外部に排出される。そして、エアー吹き出し口１４ｂより吹き出されたエアーがフード２１を介して吸引されることによるエアーの流れが生じ、遊技機１１の周辺で発生した煙はこの空気流に誘引されて外部に排出される。その結果、タバコの煙が拡散することを防止できる。【選択図】図１
2011072707.tif 000002
【特許請求の範囲】
【請求項１】
互いに間隔をもって連設された複数の遊技機を備えた遊技ホールに設けられ、各遊技機周辺の空気を浄化する空気清浄装置であって、
一端がエアー供給口とされ、他端がエアー吹き出し口とされ、前記他端が前記遊技機の幅内で遊技機よりも前面側となる適所に達して、前記吹き出し口が略上方向を向くように配置された送風ノズルと、
前記各遊技機の上方に設けられ、周辺の空気を吸引するエアー吸引手段と、
を備えたことを特徴とする空気清浄装置。
【請求項２】
互いに隣接する各遊技機間の境界領域に設置されエアーが送られる送風口を更に備え、
前記送風ノズルの前記一端は、前記送風口に連結されてエアーが供給されることを特徴とする請求項１に記載の空気清浄装置。
【請求項３】
前記送風ノズルのエアー吹き出し口は、前記遊技機の上端よりも上方に設けられることを特徴とする請求項１または請求項２のいずれかに記載の空気清浄装置。
【請求項４】
前記エアー吸引手段は、各遊技機の上方に設けられた矩形状の開口部を有するフードと、該フードに連結された排気ダクト、及び該排気ダクトに接続され前記フード周辺のエアーを外部に排出する排気ファンを備えることを特徴とする請求項１〜請求項３のいずれか１項に記載の空気清浄装置。
【請求項５】
前記エアー吸引手段の吸引口は、床面から１８００〜２２００［ｍｍ］の位置に設けられ、前後方向の幅が４００〜５００［ｍｍ］の範囲であり、吸引する風量は２．０〜３．０［ｍ３／min］の範囲であることを特徴とする請求項１〜請求項４のいずれかに記載の空気清浄装置。
【請求項６】
互いに間隔をもって連設された複数の遊技機を備えた遊技ホールに設けられ、各遊技機周辺の空気を浄化する空気清浄装置において、
前記遊技機間の境界領域に設けられ、エアーが吹き出される送風口と、
前記各遊技機の上方に設けられ、周辺のエアーを吸引するエアー吸引手段と、を備え、
前記送風口は、床面から１２００〜１４００［ｍｍ］の高さに設けられ、エアーの吹き出し角度が７０〜９０°の範囲であり、エアーの吹き出し量が０．１５〜０．２５［ｍ３／min］であることを特徴とする空気清浄装置。
【請求項７】
前記エアー吸引手段は、各遊技機の上方に設けられた矩形状の開口部を有するフードと、該フードに連結された排気ダクト、及び該排気ダクトに接続され前記フード周辺のエアーを外部に排出する排気ファンを備えることを特徴とする請求項６に記載の空気清浄装置。
【請求項８】
前記エアー吸引手段のエアー吸引部にフードが設けられ、該フードの奥行き方向の長さは４００〜５００［ｍｍ］の範囲であり、吸引する風量は２．０〜３．０［ｍ３／min］の範囲であることを特徴とする請求項６または請求項７のいずれかに記載の空気清浄装置。
【発明の詳細な説明】
【技術分野】
【０００１】
本発明は、遊技機で遊技する遊技者が喫煙する場合に生じる煙が、隣接する遊技機側に拡散することを防止して、他の遊技者に不快感を与えることを防止する空気清浄装置に関する。
【背景技術】
【０００２】
パチンコ機或いはパチスロ機等の遊技機を複数設置した遊技ホールでは、各遊技機で遊技者が遊技を行う場合に、遊技者が喫煙した際に生じるタバコの煙が他の遊技機側に拡散し、他の遊技者に不快感を与えることがある。この問題を解決するため、例えば、特開平６−１９０１３４号公報（特許文献１）に記載された空気清浄機が提案されている。
【０００３】
この空気清浄機は、複数個連設されたパチンコ台の境界部分にエアーの吹き出し口を設け、更に、各パチンコ台の上方にエアー吸引用のフードを設ける。そして、吹き出し口よりエアーを吹き出すと、このエアーはフードに到達して吸引されるので、各パチンコ台の境界部分にエアーによるカーテンが形成され、互いに隣接するパチンコ台どうしでの空気の拡散を防止することができる。
【先行技術文献】
【特許文献】
【０００４】
【特許文献１】特開平６−１９０１３４号公報
【発明の概要】
【発明が解決しようとする課題】
【０００５】
しかしながら、上述した特許文献１に記載された空気清浄機では、吹き出し口の設置位置やフードの設置位置、エアーの吹き出し速度、吹き出し量、等の条件によっては、エアーカーテンを形成することができるものの、その効果は小さくタバコの煙を効果的に遮断できないことがあった。
【０００６】
本発明は、このような従来の課題を解決するためになされたものであり、その目的とするところは、各遊技機で生じたタバコの煙を確実に吸引して外部に排出し、他の遊技機側への拡散を防止することが可能な空気清浄装置を提供することにある。
【課題を解決するための手段】
【０００７】
上記目的を達成するため、本願請求項１に記載の発明は、互いに間隔をもって連設された複数の遊技機を備えた遊技ホールに設けられ、各遊技機周辺の空気を浄化する空気清浄装置であって、一端がエアー供給口とされ、他端がエアー吹き出し口とされ、前記他端が前記遊技機の幅内で遊技機よりも前面側となる適所に達して、前記吹き出し口が略上方向を向くように配置された送風ノズルと、前記各遊技機の上方に設けられ、周辺の空気を吸引するエアー吸引手段とを備えたことを特徴とする。
【０００８】
請求項２に記載の発明は、互いに隣接する各遊技機間の境界領域に設置されエアーが送られる送風口を更に備え、前記送風ノズルの前記一端は、前記送風口に連結されてエアーが供給されることを特徴とする。
【０００９】
請求項３に記載の発明は、前記送風ノズルのエアー吹き出し口は、前記遊技機の上端よりも上方に設けられることを特徴とする。
【００１０】
請求項４に記載の発明は、前記エアー吸引手段は、各遊技機の上方に設けられた矩形状の開口部を有するフードと、該フードに連結された排気ダクト、及び該排気ダクトに接続され前記フード周辺のエアーを外部に排出する排気ファンを備えることを特徴とする。
【００１１】
請求項５に記載の発明は、前記エアー吸引手段の吸引口は、床面から１８００〜２２００［ｍｍ］の位置に設けられ、前後方向の幅が４００〜５００［ｍｍ］の範囲であり、吸引する風量は２．０〜３．０［ｍ３／min］の範囲であることを特徴とする。
【００１２】
請求項６に記載の発明は、互いに間隔をもって連設された複数の遊技機を備えた遊技ホールに設けられ、各遊技機周辺の空気を浄化する空気清浄装置において、前記遊技機間の境界領域に設けられ、エアーが吹き出される送風口と、前記各遊技機の上方に設けられ、周辺のエアーを吸引するエアー吸引手段と、を備え、前記送風口は、床面から１２００〜１４００［ｍｍ］の高さに設けられ、エアーの吹き出し角度が７０〜９０°の範囲であり、エアーの吹き出し量が０．１５〜０．２５［ｍ３／min］であることを特徴とする。
【００１３】
請求項７に記載の発明は、前記エアー吸引手段は、各遊技機の上方に設けられた矩形状の開口部を有するフードと、該フードに連結された排気ダクト、及び該排気ダクトに接続され前記フード周辺のエアーを外部に排出する排気ファンを備えることを特徴とする。
【００１４】
請求項８に記載の発明は、前記エアー吸引手段のエアー吸引部にフードが設けられ、該フードの奥行き方向の長さは４００〜５００［ｍｍ］の範囲であり、吸引する風量は２．０〜３．０［ｍ３／min］の範囲であることを特徴とする。
【発明の効果】
【００１５】
請求項１の発明では、遊技機上方の略中央より上側に向けて、送風ノズルのエアー吹き出し口からエアーが吹き出され、更に、遊技機の上方に設けられたエアー吸引手段によりエアーが吸引されるので、エアー吹き出し口からエアー吸引手段までの間にエアーの流路が形成される。従って、遊技機の前面適所で発生するタバコの煙は、このエアーに誘引されてエアー吸引手段に導かれ、外部へと排出される。その結果、遊技者が喫煙することにより発生する煙を周囲に拡散させることなく、確実に外部に排出することができ、周囲で遊技する他の遊技者に不快感を与えるというトラブルの発生を回避することができる。
【００１６】
請求項２の発明では、各遊技機間の境界領域に送風口が設けられ、該送風口が送風ノズルの一端に連結されて該送風ノズルにエアーが供給されるので、境界領域の裏面側のスペースを使ってエアー配管を設置することができ、エアー配管の設置スペースを容易に確保することができる。
【００１７】
請求項３の発明では、送風ノズルのエアー吹き出し口が、遊技機の上端よりも上方に設けられるので、送風ノズルの存在が遊技者にとって煩わしく感じられることがなく、また、エアー吹き出し口からエアー吸引手段に向かうエアーの流れを確実に形成することができるので、遊技機の前面側にて発生するタバコの煙を効果的に誘引して外部に排出することができる。
【００１８】
請求項４の発明では、エアー吸引手段が、矩形状の開口部を有するフードと、該フードに連結された排気ダクト、及び該排気ダクトに接続された排気ファンにより構成されるので、各遊技機に対して同一形状のフードが設けられることになり、各遊技機で生じる煙を均一に吸引することができる。
【００１９】
請求項５に記載の発明では、エアー吸引手段の吸引口を、床面から１８００〜２２００［ｍｍ］の位置に設置し、且つ、該吸引口の前後方向の幅を４００〜５００［ｍｍ］の範囲とし、エアーを吸引する風量を２．０〜３．０［ｍ３／min］の範囲とするので、遊技機の前面側で発生するタバコの煙を効果的に誘引し、確実に外部に排出することができる。
【００２０】
請求項６の発明では、境界領域に設けられた送風口よりエアーが吹き出され、且つ、遊技機の上方に設けられたエアー吸引手段にて遊技機の上部に存在するエアーが吸引されて外部に排出される。また、送風口が床面から１２００〜１４００［ｍｍ］の高さに設けられ、送風口によるエアーの吹き出し角度を７０〜９０°の範囲とし、且つ、エアーの吹き出し量を０．１５〜０．２５［ｍ３／min］とするので、送風口より吹き出されるエアーがエアー吸引手段により吸引されることにより生じるエアーの流れにより、遊技機周辺のエアーが誘引されて外部に排出され、タバコの煙が周囲に拡散されて他の遊技者に不快感を与えるというトラブルの発生を回避することができる。
【００２１】
請求項７の発明では、エアー吸引手段が、矩形状の開口部を有するフードと、該フードに連結された排気ダクト、及び該排気ダクトに接続された排気ファンにより構成されるので、各遊技機に対して同一形状のフードが設けられることになり、各遊技機で生じる煙を均一に吸引することができる。
【００２２】
請求項８の発明では、エアー吸引手段のエアー吸引部に設けられたフードの奥行き方向の長さを４００〜５００［ｍｍ］の範囲とし、吸引する風量を２．０〜３．０［ｍ３／min］の範囲とするので、遊技機の前面側にて発生するタバコの煙を効果的に誘引して外部に排出することができる。
【図面の簡単な説明】
【００２３】
【図１】本発明の第１実施形態に係る空気清浄装置が用いられる遊技機の配置構成を示す説明図であり（ａ）は正面図、（ｂ）は側面図である。
【図２】本発明の第１実施形態に係る空気清浄装置が用いられる遊技機の詳細な構成を示す説明図である。
【図３】本発明の第２実施形態に係る空気清浄装置が用いられる遊技機の配置構成を示す説明図であり（ａ）は正面図、（ｂ）は側面図である。
【図４】本発明の比較例に係る空気清浄装置が用いられる遊技機の配置構成を示す説明図であり（ａ）は正面図、（ｂ）は側面図である。
【図５】本発明の第１実施形態に係る空気清浄装置の、エアーの流れを示すフロー図である。
【図６】本発明の第２実施形態に係る空気清浄装置の、エアーの流れを示すフロー図である。
【図７】本発明に係る第１の装置及び第２の装置に係る空気清浄装置を用いた場合の各種の条件と、煙の吸引効果の評価を示す説明図である。
【図８】第２の装置及び第３の装置に係る空気清浄装置を用いた場合の各種の条件と、煙の吸引効果の評価を示す説明図である。
【図９】実施例１の条件でエアーの吹き出し及び吸引の条件を設定した場合の、煙の流れを示す説明図である。
【図１０】実施例２の条件でエアーの吹き出し及び吸引の条件を設定した場合の、煙の流れを示す説明図である。
【図１１】比較例１の条件でエアーの吹き出し及び吸引の条件を設定した場合の、煙の流れを示す説明図である。
【図１２】比較例２の条件でエアーの吹き出し及び吸引の条件を設定した場合の、煙の流れを示す説明図である。
【図１３】比較例３の条件でエアーの吹き出し及び吸引の条件を設定した場合の、煙の流れを示す説明図である。
【図１４】比較例４の条件でエアーの吹き出し及び吸引の条件を設定した場合の、煙の流れを示す説明図である。
【図１５】比較例５の条件でエアーの吹き出し及び吸引の条件を設定した場合の、煙の流れを示す説明図である。
【発明を実施するための形態】
【００２４】
以下、本発明の実施形態を図面に基づいて説明する。
【００２５】
［第１実施形態］
図１は、本発明の第１実施形態に係る空気清浄装置が遊技ホールに設けられている様子を示す説明図であり、図１（ａ）は正面図、（ｂ）は側面図である（以下、これを「第１の装置」という）。また、図２は遊技機１１及びその周辺の詳細構成を示す説明図、図５は第１実施形態に係る空気清浄装置の空気の流れを示すフロー図である。
【００２６】
図１（ａ）、（ｂ）に示すように遊技ホールには、例えばパチンコ遊技機等の遊技機１１が複数台（図では３台）横方向に向けて、所定の間隔をもって設置されており、各遊技機１１の前面側には、遊技者Ｑが着席するための椅子１２が、床面Ｇに立設された支柱１２ａに設置されている。
【００２７】
また、各遊技機１１の間には境界領域１３が設けられており、該境界領域１３には紙幣やプリペイドカードを挿入して遊技球、或いは遊技用メダルと交換するための装置（図示省略）が設けられている。
【００２８】
図２に示すように、遊技機１１の右側となる境界領域１３の上端部には長尺で中空形状をなす送風ノズル１４の一端が取り付けられている。該送風ノズル１４は上方に向けて立ち上がり、遊技機１１の上端部を超えた位置で横方向に屈曲し、遊技機１１の中央部近傍に達する位置まで横方向に延出して配置されている。また、送風ノズル１４の他端は、上方を向いて開口されている。また、送風ノズル１４の一端はエアーの供給口１４ａとされ、他端はエアーの吹き出し口１４ｂとされている。
【００２９】
即ち、送風ノズル１４は、一端がエアーの供給口１４ａとされ、他端がエアー吹き出し口１４ｂとされ、他端が遊技機１１の幅内で遊技機１１よりも前面側となる適所に達して、吹き出し口１４ｂが略上方向を向くように配置されている。ここで、遊技機１１の幅内とは、図２に示す遊技機１１の左端から右端までの範囲であり、遊技機１１よりも前面側とは、遊技機１１の前面よりも遊技者Ｑ側で、遊技機１１自体の前面、及び遊技機１１の上端よりも上方となる領域の前面をも含む領域を示す概念である。
【００３０】
また、境界領域１３の上端部にはエアーが送られる送風口１５が設けられ、該送風口１５は境界領域１３の内部に設けられたエアー配管１６（図５参照）を経由して送風ファン１７に接続され、該送風ファン１７が駆動することにより、送風口１５にエアーが送られるようになっている。従って、送風口１５に送られたエアーは、供給口１４ａより中空形状をなす送風ノズル１４内に供給され、吹き出し口１４ｂより遊技機１１の上方に向けて吹き出されることになる。
【００３１】
即ち、図５のフロー図に示すように、送風ファン１７より送り出されたエアーは、エアー配管１６を経由して各境界領域１３に設けられた送風口１５に供給され、更に、送風ノズル１４を経由して該送風ノズル１４の吹き出し口１４ｂより吹き出されることになる。
【００３２】
他方、図１（ａ）、（ｂ）に示すように、各遊技機１１の上方には遊技機１１周辺のエアーを吸引するためのフード２１が設けられ、該フード２１はエアーダクト２２に連結されている。更に、該エアーダクト２２には排気ファン２３（図５参照）が設けられ、該排気ファン２３を駆動させることにより、各遊技機１１周辺のエアーを外部に排出する。
【００３３】
なお、本願明細書中でいう「外部」とは、フード２１より下流側の空間のことを示し、遊技ホールの外という意味に限定されるものではない。例えば、室内循環型の分煙装置を適用する場合には、フード２１より下流側に空気清浄機を設け、その空気清浄機を通った空気を遊技ホール内に戻すようにしても良いし、その空気の一部を遊技ホール外に排出しても良い。この場合、図５に示したエアーダクト２２を送風ファン１７に連結してもよく、また、排気ファン２３をなくした構成にすることもできる。
【００３４】
また、図１（ａ）、（ｂ）に示すように、送風ノズル１４の吹き出し口１４ｂは、床面Ｇより１５００［ｍｍ］の高さに設置され、フード２１は床面Ｇより２０００［ｍｍ］の高さに設置され、フード２１の前後方向の幅は４５０［ｍｍ］とされている。更に、送風ノズル１４の供給口１４ａから吹き出し口１４ｂまでの距離を２２５［ｍｍ］とし、吹き出し口１４ｂから遊技機１１の中心までの距離を１００［ｍｍ］としている。更に、後述するように、タバコの煙が発生する発煙点ｐは、遊技機１１の前面から３００［ｍｍ］で、床面から１１００［ｍｍ］の位置としている。
【００３５】
次に、上述のように構成された第１実施形態に係る空気清浄装置の作用について説明する。該空気清浄装置を作動させる場合には、送風ファン１７（図５参照）を駆動することにより、送風ノズル１４にエアーを供給する。そして、送風ノズル１４に供給されたエアーは、遊技機１１の前面側の上部適所に設けられた吹き出し口１４ｂより、上方に向けて吹き出されるので、遊技者Ｑが喫煙したときに発生するタバコの煙は、吹き出し口１４ｂより吹き出されたエアーに誘引され、上方に設けられたフード２１に向けて流動することになる。
【００３６】
更に、排気ファン２３（図５参照）が駆動されると、フード２１近傍のエアーが吸引され、エアーダクト２２を経由して外部へ排出されることになる。従って、タバコの煙は周囲に拡散されることなく外部へ排出されるので、隣接する遊技機１１で遊技する遊技者に不快感を与えることを防止できる。
【００３７】
［実施例１］
図７は、空気清浄装置を使用して実際に煙の吸引実験を行った場合の、煙の拡散状況の評価を示す説明図である。実施例１では、第１の装置を使用し、排気ファン２３によるエアー吸引の風量を２．５［ｍ３／min］、フード２１の幅を４５０［ｍｍ］（図１（ｂ）参照）とし、送風ファン１７によるエアーの吹き出しの風量を０．２［ｍ３／min］、風速を２．３［ｍ／sec］とし、送風ノズル１４の吹き出し角度を９０°（鉛直方向）、吹き出し位置の床面からの高さを１５００［ｍｍ］とし、図１（ａ）、（ｂ）に示す発煙点ｐにてタバコの煙を発生させた。
【００３８】
その結果、図９に示すように、発煙点ｐに発生させた煙はほぼ上方に向けて上昇し、ほぼ全ての煙がフード２１より吸引されて外部へ排出されることが確認された。従って、使用可能であるか否かの評価を「○」とした。
【００３９】
また、発明者らは、第１の装置を用いてフード２１の床面Ｇからの高さ及び前後方向の幅を種々変更して実験を行ったところ、フード２１を床面Ｇから１８００〜２２００［ｍｍ］の範囲となる高さに設置し、該フード２１の前後方向の幅を４００〜５００［ｍｍ］の範囲とすることにより、より効率良く煙を吸引することが可能であるという結論を得た。
【００４０】
このように、第１実施形態に係る空気清浄装置では、遊技機１１の幅内で、且つ該遊技機１１よりも前面側となる位置に送風ノズル１４の吹き出し口１４ｂを上向きに配置し、該吹き出し口１４ｂよりエアーを吹き出すようにしたので、遊技者Ｑが喫煙した場合に発生する煙のほとんどがこのエアーに誘引されてフード２１側に導かれ、外部へと排出されることになる。このため、喫煙時に発生する煙が周囲に拡散して他の遊技者に不快感を与えるという問題を解決することができる。
【００４１】
なお、上述した第１実施形態では、各遊技機１１間の境界領域１３に送風口１５を設け（図２参照）、該送風口１５を送風ノズル１４の供給口１４ａに接続して、吹き出し口１４ｂよりエアーを吹き出す構成としたが、境界領域１３以外に設けたエアー配管を送風ノズル１４の供給口１４ａに接続してエアーを吹き出す構成とすることも可能である。
【００４２】
［第２実施形態］
次に、本発明の第２実施形態について説明する。図３は、本発明の第２実施形態に係る空気清浄装置が遊技ホールに設けられている様子を示す説明図であり、図１（ａ）は正面図、（ｂ）は側面図を示す（以下、これを「第２の装置」という）。また、図６は第２実施形態に係る空気清浄装置の空気の流れを示すフロー図である。
【００４３】
図３に示すように、第２実施形態に係る空気清浄装置は、各遊技機１１間の境界領域１３の上方に設けられた送風口３１を備えている。該送風口３１は、縦長の矩形状をなしており、送風ファン１７（図６参照）より出力されるエアーが吹き出される。なお、複数設けられた遊技機１１で、左端及び右端となる端部の遊技機１１については、該遊技機１１の両端に送風口３１を設けてエアーを吹き出すようにしても良いし、左端の遊技機１１については右側のみ、右端の遊技機１１については左側のみに送風口３１を設けてエアーを吹き出すようにしても良い。
【００４４】
各遊技機１１の上方には遊技機１１周辺の空気を吸引するためのフード２１が設けられ、該フード２１はエアーダクト２２に連結されている。更に、図６に示すように、該エアーダクト２２には排気ファン２３が設けられ、該排気ファン２３を駆動させることにより、各遊技機１１周辺のエアーを外部に排出する。
【００４５】
また、図３に示すように、送風口３１の床面Ｇからの高さを１３００［ｍｍ］とし、フード２１の高さを２０００［ｍｍ］とし、送風口３１と遊技機１１の中心との距離を３２５［ｍｍ］とし、互いに隣接する遊技機１１の中心間の距離を７００［ｍｍ］としている。更に、後述するように、タバコの煙が発生する発煙点ｐを、遊技機１１の前面から３００［ｍｍ］で、床面から１１００［ｍｍ］の位置としている。
【００４６】
次に、上述のように構成された第２実施形態に係る空気清浄装置の作用について説明する。該空気清浄装置を作動させる場合には、図６に示す送風ファン１７を駆動して送風口３１から、上方の所定角度となる方向に向けてエアーを吹き出す。
【００４７】
送風口３１より吹き出されたエアーは上方に向けて吹き出されるので、遊技者Ｑが喫煙したときに発生するタバコの煙は、送風口３１より吹き出されたエアーに誘引され、上方に設けられたフード２１に向けて流動することになる。
【００４８】
更に、図６に示す排気ファン２３が駆動されると、フード２１近傍のエアーが吸引され、エアーダクト２２を経由して外部へ排出されることになる。従って、発煙点ｐで発生するタバコの煙のうちの一部は、送風口３１より吹き出されたエアーに誘引されてフード２１側に導かれ、エアーダクト２２を経由して外部へ排出されることになる。
【００４９】
そこで、発明者らは、フード２１より吸引するエアーの風量、フード２１の幅、送風口３１より吹き出されるエアーの風量、風速、吹き出しの角度、送風口３１の床面Ｇからの高さを種々変更して、効率良くタバコの煙を吸引して排出することが可能となる条件を実験により求めた。なお、送風口３１の床面Ｇからの高さを変更するために、図４（ａ）、（ｂ）に示すように、境界領域１３に設けられる送風口３１の高さが図３に示す場合よりも低くした空気清浄装置（以下、これを「第３の装置」という）を用いて実験を行った。なお、第３の装置は、図３に示した第２の装置と対比して送風口３１の取り付け位置のみが相違している。以下、実施例２、及び比較例１〜５について説明する。
【００５０】
［実施例２］
図７に示すように、実施例２では、図３に示した空気清浄装置（第２の装置）を使用し、排気ファン２３によるエアー吸引の風量を２．５［ｍ３／min］、フード２１の幅を４５０［ｍｍ］とし、送風ファン１７によるエアーの吹き出しの風量を０．２［ｍ３／min］、風速を２．２［ｍ／sec］とし、送風口３１の吹き出し角度を８０〜９０°、送風口３１の床面からの高さを１３００［ｍｍ］として、図３（ａ）に示す発煙点ｐにてタバコの煙を発生させた。
【００５１】
その結果、図１０に示すように、煙はほぼ上方に向けて上昇し、ほぼ全ての煙がフード２１より吸引されて外部へ排出されることが確認された。従って、煙の拡散を防止する上で極めて有効であると判定し、使用可能であるか否かの評価を「○」とした。
【００５２】
また、発明者らは上記の数値を種々変更して鋭意検討した結果、送風口３１を床面から１２００〜１４００［ｍｍ］の範囲となる高さに設け、エアーの吹き出し角度を７０〜９０°の範囲とし、エアー吹き出しの風量を０．１５〜０．２５［ｍ３／min］の範囲とし、更に、フード２１の奥行き方向の長さを４００〜５００［ｍｍ］の範囲とし、吸引するエアーの風量を２．０〜３．０［ｍ３／min］の範囲とすることにより、遊技機１１の前面に生じたエアーを周囲に拡散させることなく、外部に排出できるという結論に達した。
【００５３】
［比較例１］
図８に示すように、比較例１では、図３に示した第２の装置を使用し、排気ファン２３によるエアー吸引の風量を２．５［ｍ３／min］、フード２１の幅を４５０［ｍｍ］とし、送風ファン１７によるエアーの吹き出しを停止させた。その結果、図１１に示すようにフード２１近傍に達する煙は、該フード２１から吸引されるものの、フード２１近傍に達しない煙は、周辺に拡散されるという結果が得られた。従って、煙の拡散を防止する上で効果は低いと判定し、使用可能であるか否かの評価を「△」とした。
【００５４】
［比較例２］
比較例２では、図３に示した第２の装置を使用し、排気ファン２３によるエアー吸引の風量を２．５［ｍ３／min］、フード２１の幅を８００［ｍｍ］とし、送風ファン１７によるエアーの吹き出しを停止させた。その結果、図１２に示すように、ほとんどの煙はフード２１近傍に達し、該フード２１から吸引されるという結果が得られた。しかしながら、フード２１の幅が極めて大きいので、遊技ホール内の通行人の頭部に接近することや、衝突するといったトラブルの虞があり、実質的に使用することが困難であるとの判定が得られ、使用可能であるか否かの評価を「×」とした。
【００５５】
［比較例３］
比較例３では、図３に示した第２の装置を使用し、排気ファン２３によるエアー吸引の風量を１．０［ｍ３／min］、フード２１の幅を４５０［ｍｍ］とし、送風ファン１７によるエアーの吹き出しの風量を０．１［ｍ３／min］、風速を１．８［ｍ／sec］とし、送風口３１の吹き出し角度を８０〜９０°、送風口３１の床面からの高さを１３００［ｍｍ］とした。
【００５６】
その結果、図１３に示すように、遊技機１１に近接する空間の煙はほぼ上方に向けて上昇しフード２１に達するが、送風ファン１７の風量、風速が少ないことにより、遊技機１１から離れた煙はフード２１に到達せず、周囲に拡散されるという結果が得られた。従って、使用可能であるか否かの評価を「△」とした。
【００５７】
［比較例４］
比較例４では、図４に示した第３の装置を使用し、排気ファン２３によるエアー吸引を停止させ、送風ファン１７によるエアーの吹き出しの風量を０．４［ｍ３／min］、風速を７．０［ｍ／sec］とし、送風口３１の吹き出し角度を０〜９０°、送風口３１の床面からの高さを７００［ｍｍ］とした。
【００５８】
その結果、図１４に示すように、発煙点ｐで発生する煙は、送風口３１より吹き出されるエアーにより拡散するという結果が得られた。従って、使用可能であるか否かの評価を「×」とした。
【００５９】
［比較例５］
比較例５では、図４に示した第３の装置を使用し、排気ファン２３によるエアー吸引の風量を２．５［ｍ３／min］、フード２１の幅を４５０［ｍｍ］とし、送風ファン１７によるエアーの吹き出しの風量を０．４［ｍ３／min］、風速を７．０［ｍ／sec］とし、送風口３１の吹き出し角度を０〜９０°、送風口３１の床面からの高さを７００［ｍｍ］とした。  その結果、図１５に示すように、一部の煙はフード２１の近傍に達して吸引されるが、送風口３１より吹き出されたエアーにより拡散された煙はフード２１の近傍に到達せず、周囲に拡散されるという結果が得られた。従って、使用可能であるか否かの評価を「×」とした。
【００６０】
そして、上記した実施例２及び比較例１〜５の実験結果から理解されるように、第２実施形態に係る空気清浄装置では、送風口３１を床面から１２００〜１４００［ｍｍ］の範囲となる高さに設け、エアーの吹き出し角度を７０〜９０°の範囲とし、エアー吹き出しの風量を０．１５〜０．２５［ｍ３／min］の範囲とし、更に、フード２１の奥行き方向の長さを４００〜５００［ｍｍ］の範囲とし、吸引するエアーの風量を２．０〜３．０［ｍ３／min］の範囲とすることにより、遊技機１１の周辺で発生した煙をフード２１の入口に誘導し、排気ファン２３により外部に排出できるという結果が得られた。
【００６１】
このように、本発明の第２実施形態に係る空気清浄装置では、各遊技機１１間の境界領域１３の上部にエアーが吹き出される送風口３１を設け、送風ファン１７より送り出されるエアーを送風口３１より吹き出し、且つ、排気ファン２３を駆動させることにより遊技機１１の上部に設けられたフード２１からエアーを吸引するように構成している。更に、送風口３１より吹き出されるエアーの風量、風向き等の条件、及びフード２１より吸引するエアーの風量、フード２１の幅等の条件を適切な条件に設定することにより、発煙点ｐに発生する煙を確実にフード２１の近傍に導いて外部へ排出することができる。従って、喫煙時に発生する煙が周囲に拡散して他の遊技者に不快感を与えるという問題を解決することができる。
【００６２】
以上、本発明の空気清浄装置を図示の実施形態に基づいて説明したが、本発明はこれに限定されるものではなく、各部の構成は、同様の機能を有する任意の構成のものに置き換えることができる。
【００６３】
例えば、ゲームセンター等で遊技機が横方向に複数台連続的に設置されているような場所においても採用することができる。
【産業上の利用可能性】
【００６４】
本発明は、遊技者が喫煙することにより発生する煙を周囲に拡散させることなく、外部に排出する上で極めて有用である。
【符号の説明】
【００６５】
１１  遊技機
１２  椅子
１２ａ  支柱
１３  境界領域
１４  送風ノズル
１４ａ  供給口
１４ｂ  吹き出し口
１５  送風口
１６  エアー配管
１７  送風ファン
２１  フード
２２  エアーダクト
２３  排気ファン
３１  送風口
Ｇ    床面
ｐ    発煙点
【図１】
2011072707.tif 000003
【図２】
2011072707.tif 000004
【図３】
2011072707.tif 000005
【図４】
2011072707.tif 000006
【図５】
2011072707.tif 000007
【図６】
2011072707.tif 000008
【図７】
2011072707.tif 000009
【図８】
2011072707.tif 000010
【図９】
2011072707.tif 000011
【図１０】
2011072707.tif 000012
【図１１】
2011072707.tif 000013
【図１２】
2011072707.tif 000014
【図１３】
2011072707.tif 000015
【図１４】
2011072707.tif 000016
【図１５】
2011072707.tif 000017